(57)【特許請求の範囲】
【請求項１】
部屋の床に形成した箱体用開口の周縁部に、上面が開放し且つ側壁に機器ボックスを嵌め止めるための機器ボックス用開口を有する箱体の上縁を取り付けた後、前記機器ボックス用開口から前記箱体内に電源コードを引き出してその電源コードを、内側に接続端子を有する機器ボックスの前記接続端子に接続し、前記機器ボックスを前記箱体内から前記機器ボックス用開口を通じて外部に露出させて該機器ボックスを前記機器ボックス用開口の周縁部に取り付け、前記機器ボックスの内側には少なくとも１個のコンセントが設けられており、このコンセントに前記箱体の底壁に設けられた下側ヒーターの差し込みプラグ又は前記箱体の上部に載置されるやぐらの上部下面に設けられた上側ヒーターの差し込みプラグが差し込まれるようになされている掘ごたつの施工方法。
【発明の詳細な説明】
【０００１】
【発明の属する技術分野】
本発明は掘ごたつの施工方法に関する。
【０００２】
【発明の目的】
本発明は、箱体の側壁に設けられる機器ボックスが箱体内面に可能な範囲で突出しないようにして、且つ、箱体を設置する際には機器ボックスが邪魔とならないようにして掘ごたつを施工することが出来るようにすることを目的とするものである。
【０００３】
【前記目的を達成するための手段】
本発明は前記目的を達成するために以下の如き手段を採用した。
請求項１の発明は、部屋の床に形成した箱体用開口の周縁部に、上面が開放し且つ側壁に機器ボックスを嵌め止めるための機器ボックス用開口を有する箱体の上縁を取り付けた後、前記機器ボックス用開口から前記箱体内に電源コードを引き出してその電源コードを、内側に接続端子を有する機器ボックスの前記接続端子に接続し、前記機器ボックスを前記箱体内から前記機器ボックス用開口を通じて外部に露出させて該機器ボックスを前記機器ボックス用開口の周縁部に取り付け、前記機器ボックスの内側には少なくとも１個のコンセントが設けられており、このコンセントに前記箱体の底壁に設けられた下側ヒーターの差し込みプラグ又は前記箱体の上部に載置されるやぐらの上部下面に設けられた上側ヒーターの差し込みプラグが差し込まれるようになされているものである。
【０００４】
【発明の作用】
請求項１の発明は以下の如き作用をなすものである。
機器ボックスが箱体内面に可能な範囲で突出しないようにして、且つ、箱体を設置する際には機器ボックスが邪魔とならないようにして掘ごたつの施工を行なうことが出来る。そして、施工完了後においては、コンセントに差し込みプラグを差し込んだ状態で、コンセントを含んでの差し込みプラグの出っ張り量を極力小さくすることが出来るので、箱体内面の拭き掃除を行ないやすく、また、箱体に入った人の脚がたとえ差し込みプラグに当たっても違和感や痛みを感じにくい。
【０００５】
【発明の実施の形態】
以下に本発明の実施の形態を図面を参照しつつ説明する。
まず、本発明の実施の形態の施工方法によって施工された掘ごたつにつき説明する。
部屋１の床板２に形成された箱体用開口３の周縁部に、上面開放で且つ平面形状矩形の箱体５の張り出し上縁６が載置・固定されている。箱体５は、底壁７と、４つの側壁８と、前記張り出し上縁６を有する断面Ｌ字状の枠９とを有している。
前記床板２の上面（箱体用開口３の周縁部を除く）には、畳１０が敷かれている。
【０００６】
前記１つの側壁８の下部の隅部（隣接する側壁８の近傍）に矩形の機器ボックス用開口１３が形成されており、この機器ボックス用開口１３を通じて箱体５内から大部分を外部に露出させるようにして、機器ボックス１４が機器ボックス用開口１３の周縁部に取り付けられている。
前記機器ボックス１４は、箱体５の内側に開口する開口１６及び開口１６の左右（左とは図４の左を、右とは図４の右をいう。）の縁部に張り出し片１７を有するケーシング１８と、このケーシング１８内に収納された４つのリレー１９、２０、２１、２２と、開口１６を閉じるかたちで張り出し片１７に当てられた取付板２５と、この取付板２５に取り付けられたメインスイッチ２６と、取付板２５に取り付けられた２つのコンセント２７、コンセント２８と、メインスイッチ２６、コンセント２７及びコンセント２８を箱体５の内側に露出させるための開口２９を有する化粧カバー３０とを有している。
【０００７】
前記ケーシング１８及び取付板２５は、それらに重なるようにして形成された左右２個づつの貫通孔を通じてねじ３１を箱体５にねじ込むことによって箱体５に固定されている（図４参照）。
前記化粧カバー３０は、図３に示すごとく、左右部に形成された２個づつの貫通孔（ねじ頭が嵌まる沈み孔ぐりを有する貫通孔）を通じてねじ３２を、取付板２５に形成されたねじ孔（図示略）にねじ嵌めることによって、取付板２５（究極的に箱体５）に固定されている。
前記メインスイッチ２６の操作部を含む機器ボックス１４全体の、側壁８の内面からの出っ張り量Ｌは２０ｍｍ以下となるようになされている。
【０００８】
前記ケーシング１８内に一対の接続端子３５が設けられ、これら接続端子３５に電源コード３６（外部の電線に接続されている）が接続されている。前記電源コード３６は、ケーシング１８に形成された開口３７を通じてケーシング１８内に引き入れられている。開口３７の周縁には弾性の環状体３８が嵌め止められている。
【０００９】
図５に示すごとく、前記コンセント２７は３つの受け端子２７ａ、２７ｂ、２７ｃを有しており、前記コンセント２８は３つの受け端子２８ａ、２８ｂ、２８ｃを有している。
【００１０】
前記箱体５の底壁７にはホットカーペット等からなる下側ヒーター４１が取り外し自在に載置され、この下側ヒーター４１にコード４２を介して差し込みプラグ４３が接続され、この差し込みプラグ４３は、３つの差し込み端子４３ａ、４３ｂ、４３ｃを有している。そして、差し込みプラグ４３はコンセント２７に差し込まれるようになされている。
【００１１】
前記床板２の箱体用開口３の周縁部には框枠４６が載置され、この框枠４６に４本の脚４８を有するやぐら４７が載せられ、このやぐら４７の上部下面に上部ヒーター５１が設けられ、この上部ヒーター５１にコード５２を介して差し込みプラグ５３が接続され、この差し込みプラグ５３は、３つの差し込み端子５３ａ、５３ｂ、５３ｃを有している。そして、差し込みプラグ５３はコンセント２８に差し込まれるようになされている。前記コード５２の途中には、上部ヒーター用スイッチ５５、温度調節器５６等を有する公知のコントローラー５７が介在させられている。
やぐら４７にはこたつ布団（図示略）が掛けられた後、その上に天板４９が載せられる。
【００１２】
前記下側ヒーター４１、上部ヒーター５１等の電気機器の結線状態を図５に示す。この図５において、リレー１９のａ接点が接点１９ａ、リレー２０のａ接点が接点２０ａ、リレー２１のａ接点が接点２１ａ、リレー２２のａ接点が接点２２ａである。
なお、図５では省略しているが、安全のための公知のヒューズ等が所要部所に結線されていることはいうまでもない。
【００１３】
図５の回路図から明らかなごとく、両差し込みプラグ４３、差し込みプラグ５３をコンセント２７、コンセント２８に差し込まない限り、全てのリレー１９、２０、２１、２２の接点１９ａ、２０ａ、２１ａ、２２ａが閉じないので、下側ヒーター４１及び上部ヒーター５１は通電可能状態、即ち、メインスイッチ２６を「ＯＮ」とすると共に上部ヒーター用スイッチ５５を「ＯＮ」としても、下側ヒーター４１及び上部ヒーター５１に通電が行なわれる状態にならない。
この説明から明らかなごとく、差し込みプラグ４３の差し込み端子４３ａ、４３ｃがリレー１９、２０用の差し込み端子となされ、差し込みプラグ５３の差し込み端子５３ａ、５３ｃがリレー２１、２２用の差し込み端子となされている。
【００１４】
図２に示すごとく、コンセント２７、２８に差し込みプラグ４３、５３を差し込んだ状態で、コンセント２７、２８を含んでの差し込みプラグ４３、５３の出っ張り量Ｍが、箱体５の側壁８内面より３０ｍｍ以下となされている。このように出っ張り量Ｍ及び出っ張り量Ｌが少ないので、箱体５内面の拭き掃除を行ないやすく、また、箱体５に入った人の脚がたとえ差し込みプラグ４３、差し込みプラグ５３に当たっても違和感や痛みを感じにくい。
【００１５】
【発明の実施の形態の施工方法】
次に発明の実施の形態の施工方法を説明する。
【００１６】
［第１工程］
部屋１の床板２に形成した箱体用開口３の周縁部に箱体５の張り出し上縁６を取り付ける。
【００１７】
［第２工程］
機器ボックス用開口１３から箱体５内に電源コード３６を引き出してその電源コード３６を機器ボックス１４の接続端子３５に接続する。
【００１８】
［第３工程］
機器ボックス１４を箱体５内から機器ボックス用開口１３を通じて外部に露出させて機器ボックス１４を機器ボックス用開口１３の周縁部に前記したごとくに取り付ける。
【００１９】
［第４工程］
その後、框枠４６を床板２の箱体用開口３の周縁部に載置した後、その框枠４６の上にやぐら４７を載せる。その後、差し込みプラグ４３、５３をコンセント２７、２８に差し込む。
【００２０】
【変形例等】
以下に変形例等について説明を加える。
（１）化粧カバー３０又は取付板２５のいずれか一方に所要個の係合突起を設け、同他方に係合突起に係合する係合凹所を設け、係合突起を係合凹所に係合させることによって、化粧カバー３０を取付板２５に取り付けるようにしてもよい。
（２）両差し込みプラグ４３、５３をコンセント２７、２８に同時に差し込んだ状態においてのみ、下側ヒーター４１及び上側ヒーター５１への通電が可能となるようにするための回路は実施の形態のものに限定されない。
（３）ヒーターは、下側ヒーター４１又は上側ヒーター５１の少なくとも１つあればよい。この場合、当該ヒーターの差し込みプラグは、「単相１００Ｖ一般」の差し込みプラグとなされ、コンセントは「単相１００Ｖ一般」の差し込みプラグ用のものとなされる。
（４）差し込みプラグ４３、５３を「単相１００Ｖ一般」の差し込みプラグとしてもよい。
【００２１】
【発明の効果】
本発明は前記した如き構成によって以下の如き効果を奏するものである。
請求項１及び２の発明によれば、機器ボックスが箱体内面に可能な範囲で突出しないようにして、且つ、箱体を設置する際には機器ボックスが邪魔とならないようにして掘ごたつの施工を行なうことが出来る。そして、施工完了後においては、コンセントに差し込みプラグを差し込んだ状態で、コンセントを含んでの差し込みプラグの出っ張り量を極力小さくすることが出来るので、箱体内面の拭き掃除を行ないやすく、また、箱体に入った人の脚がたとえ差し込みプラグに当たっても違和感や痛みを感じにくい。
【図面の簡単な説明】
【図１】本発明の実施の形態によって施工された掘ごたつの縦断面図である。
【図２】図１のＡ部分の拡大断面図である。
【図３】図２のＩＩＩ−ＩＩＩ線矢視図である。
【図４】図４のＩＶ−ＩＶ線断面図である。
【図５】掘ごたつの回路図である。
【符号の説明】
１  部屋
２  床板
３  箱体用開口
５  箱体
６  張り出し上縁
８  側壁
１３  機器ボックス用開口
１４  機器ボックス
２７  コンセント
２８  コンセント
３５  接続端子
３６  電源コード
４１  下側ヒーター
４３  差し込みプラグ
５１  上部ヒーター
５３  差し込みプラグ
【図１】
0003710019.tif 000002
【図２】
0003710019.tif 000003
【図３】
0003710019.tif 000004
【図４】
0003710019.tif 000005
【図５】
0003710019.tif 000006